(57)【要約】【課題】接着不良等によるレンズ駆動装置の不良が生じた場合にレンズの再利用が可能なレンズ支持体、レンズ駆動装置、カメラ及びカメラ付き携帯電話を提供する。【解決手段】本発明において、レンズ保持部２０は円筒形状であり、内周にレンズを保持し、外周面には径方向外方に突設した第１突設部２４及び第２突設部２６を有し、フランジ部２２は環状であり、内周面に第１当接部２３と、第２当接部２５と挿通溝２８とを有し、第１突設部２４を挿通溝２８に挿通することによりフランジ部２２の内周にレンズ保持部２０を挿入した後、レンズ保持部２０に対してフランジ部２２を相対的に回転することにより、第１突設部２４が光軸方向の一側で第１当接部２３に当接し、第２突設部２６が光軸方向の他側で第２当接部２５に当接して、レンズ保持部２０にフランジ部２２を嵌合固定する。【選択図】図１
2008310235.tif 000002
【特許請求の範囲】
【請求項１】
レンズを光軸方向に駆動するレンズ駆動装置に用いられるレンズ支持体であって、レンズ保持部と、レンズ保持部の外周に装着するフランジ部とを備え、レンズ保持部は円筒形状であり、内周にレンズを保持し、外周面に設けた第１係合部と第２係合部とを有し、フランジ部は環状であり、内周に第１係合部に係合する第１被係合部と、第２係合部に係合する第２被係合部とを有し、第１係合部と第２係合部とは、レンズ保持部に対してフランジ部を相対的に回転することにより、第１係合部は光軸方向の一側で第１被係合部に係合し、第２係合部は光軸方向の他側で第２被係合部に係合して、レンズ保持部とフランジ部とを脱着自在に嵌合固定することを特徴とするレンズ支持体。
【請求項２】
レンズを光軸方向に駆動するレンズ駆動装置に用いられるレンズ支持体であって、レンズ保持部と、レンズ保持部の外周に装着するフランジ部とを備え、レンズ保持部は円筒形状であり、内周にレンズを保持し、外周面には径方向外方に突設した第１突設部及び第２突設部を有し、フランジ部は環状であり、内周面に光軸方向の一側で第１突設部に当接する第１当接部と、光軸方向の他側で第２突設部に当接する第２当接部と、第１当接部を挿通する光軸方向の挿通溝とを有し、第１突設部を挿通溝に挿通することによりフランジ部の内周にレンズ保持部を挿入した後、レンズ保持部に対してフランジ部を相対的に回転することにより、第１突設部が光軸方向の一側で第１当接部に当接し、第２突設部が光軸方向の他側で第２当接部に当接して、レンズ保持部にフランジ部を嵌合固定することを特徴とするレンズ支持体。
【請求項３】
第２当接部は、フランジ部の半径方向内方に向けて突設して第２突設部に径方向外側から当接する径方向突部を備えることを特徴とする請求項２に記載のレンズ支持体。
【請求項４】
第２当接部は、光軸方向他側に向けて突設して、第２突設部に圧接する光軸方向突部を備えることを特徴とする請求項２に記載のレンズ支持体。
【請求項５】
請求項１〜４の何れか一項に記載のレンズ支持体と、このレンズ支持体のフランジ部に接着固定した環状のコイルと、レンズ支持体の外周に配置した筐体と、コイルの外周に配置すると共に筐体に固定したヨーク及びマグネットと、一端部をフランジ部に他端部を筐体に接着固定してレンズ支持体を筐体に対して光軸方向に移動自在に支持したスプリングとを備え、コイルに通電して生じる電磁力によりレンズ支持体をレンズの光軸方向に移動することを特徴とするレンズ駆動装置。
【請求項６】
請求項１〜５の何れか一項に記載のレンズ駆動装置を備えることを特徴とするカメラ。
【請求項７】
請求項６に記載のカメラを搭載したことを特徴とするカメラ付き携帯電話。
【発明の詳細な説明】
【技術分野】
【０００１】
本発明は、小型カメラのレンズ駆動装置に用いられるレンズ支持体に関する。
【背景技術】
【０００２】
この種のレンズ駆動装置において、特許文献１には、内周にレンズを保持するレンズ支持体が開示されている。この特許文献１のレンズ支持体は内周にレンズを保持するレンズ保持部とレンズ保持部の外周に設けたフランジ部とを一体成形により形成している。
【０００３】
フランジ部にはコイル及びスプリングが取り付けてあるが、コイル及びスプリングは各々接着剤によりフランジ部に接着固定している。
【０００４】
一方、レンズ駆動装置の製造においては、フランジ部にコイルやスプリングを接着固定するときに接着剤が流れ出て接着不良が生じたり、流れ出た接着剤がスプリングの機能を阻害する為レンズ駆動装置に不良が生じたりすることがある。
【０００５】
【特許文献１】特開２００６−３２３２５１号公報
【発明の開示】
【発明が解決しようとする課題】
【０００６】
しかし、レンズ駆動装置が不良品となると、レンズ駆動装置は破棄するが、高価なレンズ自体も破棄しなければならないという問題がある。
【０００７】
そこで、本発明は、接着不良等によるレンズ駆動装置の不良が生じた場合にレンズの再利用が可能なレンズ支持体、レンズ駆動装置、カメラ及びカメラ付き携帯電話の提供を目的とする。
【課題を解決するための手段】
【０００８】
請求項１に記載の発明は、レンズを光軸方向に駆動するレンズ駆動装置に用いられるレンズ支持体であって、レンズ保持部と、レンズ保持部の外周に装着するフランジ部とを備え、レンズ保持部は円筒形状であり、内周にレンズを保持し、外周面に設けた第１係合部と第２係合部とを有し、フランジ部は環状であり、内周に第１係合部に係合する第１被係合部と、第２係合部に係合する第２被係合部とを有し、第１係合部と第２係合部とは、レンズ保持部に対してフランジ部を相対的に回転することにより、第１係合部は光軸方向の一側で第１被係合部に係合し、第２係合部は光軸方向の他側で第２被係合部に係合して、レンズ保持部とフランジ部とを脱着自在に嵌合固定することを特徴とする。
【０００９】
請求項２に記載の発明は、レンズを光軸方向に駆動するレンズ駆動装置に用いられるレンズ支持体であって、レンズ保持部と、レンズ保持部の外周に装着するフランジ部とを備え、レンズ保持部は円筒形状であり、内周にレンズを保持し、外周面には径方向外方に突設した第１突設部及び第２突設部を有し、フランジ部は環状であり、内周面に光軸方向の一側で第１突設部に当接する第１当接部と、光軸方向の他側で第２突設部に当接する第２当接部と、第１当接部を挿通する光軸方向の挿通溝とを有し、第１突設部を挿通溝に挿通することによりフランジ部の内周にレンズ保持部を挿入した後、レンズ保持部に対してフランジ部を相対的に回転することにより、第１突設部が光軸方向の一側で第１当接部に当接し、第２突設部が光軸方向の他側で第２当接部に当接して、レンズ保持部にフランジ部を嵌合固定することを特徴とする。
【００１０】
請求項３に記載の発明は、請求項２に記載の発明において、第２当接部は、フランジ部の半径方向内方に向けて突設して第２突設部に径方向外側から当接する径方向突部を備えることを特徴とする。
【００１１】
請求項４に記載の発明は、請求項２に記載の発明において、第２当接部は、光軸方向他側に向けて突設して、第２突設部に圧接する光軸方向突部を備えることを特徴とする。
【００１２】
請求項５に記載の発明は、請求項１〜４の何れか一項に記載のレンズ支持体と、このレンズ支持体のフランジ部に接着固定した環状のコイルと、レンズ支持体の外周に配置した筐体と、コイルの外周に配置すると共に筐体に固定したヨーク及びマグネットと、一端部をフランジ部に他端部を筐体に接着固定してレンズ支持体を筐体に対して光軸方向に移動自在に支持したスプリングとを備え、コイルに通電して生じる電磁力によりレンズ支持体をレンズの光軸方向に移動することを特徴とするレンズ駆動装置である。
【００１３】
請求項６に記載の発明は、請求項１〜５の何れか一項に記載のレンズ駆動装置を備えることを特徴とするカメラである。
【００１４】
請求項７に記載の発明は、請求項６に記載のカメラを搭載したことを特徴とするカメラ付き携帯電話である。
【発明の効果】
【００１５】
請求項１に記載の発明によれば、レンズ保持部とフランジ部とを脱着自在に嵌合固定しているので、レンズ駆動装置の製造工程において、接着剤等による製品不良が生じた場合には、レンズ支持体に対してフランジ部を相対的に回転することにより、レンズ保持部とフランジ部との嵌合を外して分離できるので、レンズ保持部からフランジ部を外すことにより、レンズを固定したレンズ保持部を再利用できる。また、レンズの位置ずれ等のレンズ保持部に不良がある場合にも、嵌合固定しているフランジ部を回転して外すことにより、レンズの回収をすることができる。
【００１６】
レンズ保持部とフランジ部との嵌合固定は、レンズ保持部の第１係合部と第２係合部とが光軸方向の両側からフランジ部の各被係合部に係合するので、フランジ部を光軸方向の両側から挟持して固定できるから、脱落し難い。
【００１７】
請求項２に記載の発明によれば、請求項１に記載の作用効果を奏することができると共に、レンズ保持部には突設部を形成して第１突設部と第２突設部とを形成し、フランジ部にはこれらの突設部に当接する第１当接部と第２当接部とを形成するだけであるから、構造が簡易である。
【００１８】
請求項３に記載の発明によれば、請求項２に記載の作用効果を奏することができると共に、第２当接部に設けた径方向突設部が第２突設部に径方向で当接して保持するので、レンズ保持部がフランジ部に対して径方向にぶれるのを防止できる。
【００１９】
請求項４に記載の発明によれば、請求項２に記載の作用効果を奏すると共に光軸方向突設部を設けて、第２突設部に圧接させているので、レンズ保持部がフランジ部に対して、レンズの光軸方向にぶれるのを防止できる。
【００２０】
請求項５に記載の発明によれば、請求項１〜４の何れか一項に記載の作用効果を奏する
と共に、電磁力により移動するレンズ駆動装置のレンズ支持体では、フランジ部に接着剤でコイルやスプリングを固定する為、接着剤による不良を生じ易いが、係る接着剤による不良が生じてもレンズの再利用が容易にできる。
【００２１】
請求項６に記載の発明によれば、請求項１〜５の何れか一項に記載の作用効果を奏するカメラを提供できる。
【００２２】
請求項７に記載の発明によれば、請求項６に記載の作用効果を奏するカメラ付き携帯電話を提供できる。
【発明を実施するための最良の形態】
【００２３】
以下に、添付図面の図１〜図７を参照して本発明の実施の形態を説明する。図１は本発明の実施の形態に係るレンズ支持体の分解斜視図であり、図２はレンズ保持部とフランジ部との嵌合固定部を抜き出して示す斜視図であり、図３は図２のＢ−Ｂ断面図、図４は図２のＣ−Ｃ断面図であり、図５は本発明の実施の形態に係るレンズ駆動装置の分解斜視図であり、図６は図７のＡ−Ａ断面図であり、図７は本実施の形態に係るレンズ駆動装置の概観を示す斜視図である。尚、図２においては、説明を分かり易くする為、レンズ保持部の第１突設部と第２突設部とを二点鎖線で示している。
【００２４】
本実施の形態に係るレンズ駆動装置１は、携帯電話に組み込まれるオートフォーカスカメラのレンズ駆動装置である。このレンズ駆動装置１は、図５に示すように、環状のヨーク３と、レンズ支持体７と、前側スプリング９と、後側スプリング（スプリング）１１と、ヨーク３の後側に配置される後側筐体部（筐体）５と、ヨーク３の前側に配置される前側筐体部（筐体）６とを備えており、レンズ支持体７には、外周にコイル１５が固定されている。ヨーク３と後側スプリング１１との間には絶縁体（スペーサ）１７が配置されている。このレンズ駆動装置１は、縦横が約１０ｍｍ、高さが約３．５ｍｍで非常に小さいものである。
【００２５】
ヨーク３は前側から見て外周が平面視四角形であり、内周が平面視円形になっており、外周壁３ａと、内周壁３ｂと、外周壁３ａと内周壁３ｂとを連結する連結壁３ｃとからなり、外周壁３ａと内周壁３ｂと連結壁３ｃとで断面がコ字形状又はＵ字形状を成している。
【００２６】
ヨーク３の各角部１４において、外周壁３ａの内周面にはマグネット１３が固定されている。マグネット１３は、角部１４のみに設けてあり、内周壁３ｂに形成された切除部１２に対応する位置にはない。
【００２７】
レンズ支持体７は、ヨーク３の内周側を光軸方向（前後方向）に移動自在に設けられている。このレンズ支持体７は、図１に示すように、円筒形状のレンズ保持部２０と、レンズ保持部２０の光軸方向後側に設けた環状のフランジ部２２とから構成されており、レンズ保持部２０とフランジ部２２とは別体に製造したものを嵌合固定している。
【００２８】
レンズ保持部２０は略円筒形状であり、レンズ保持部２０の内周にはレンズが固定されている（尚、各図ではレンズを省略して示している）。
【００２９】
図１及び図２に示すように、レンズ保持部２０の外周面には径方向外方に突設した第１突設部（第１係合部）２４及び第２突設部（第２係合部）２６が設けてあり、フランジ部２２には第１突設部２４に当接する第１当接部（第１被係合部）２３と、第２突設部２６に当接する第２当接部（第２被係合部）２５と、第１突設部２４の挿通溝２８とが設けてある。
【００３０】
第１突設部２４は、本実施の形態では、周方向の約１８０度離れた位置に合計２つ設けてある。第２突設部２６は第１突設部２４から周方向に離れた位置あると共に、光軸方向（前後方向）にずれた位置に設けてある。第２突設部２６は周方向に約９０度の間隔で合計４つ設けてある。また、第２突設部２６には、周方向の一端部側が径方向に対して傾斜した傾斜部２７が形成してある。
【００３１】
第１当接部２３は挿通溝２８に連通し周方向に沿って設けてあると共に前側（光軸方向他側）に凹んだ凹部であり、凹部の凹み面が第１突設部２４の前側面に当接するようになっている。
【００３２】
第２当接部２５は、フランジ２２の内周面で且つ後側（光軸方向一側）に凹んで形成した凹みであり、周方向に沿って周方向の一部に形成してある。第２当接部２５の当接面２５ａには前側（光軸方向他側）に向けて突設して、第２突設部２６に圧接する光軸方向突部４１が設けてある。この光軸方向突部４１は、突設面がフランジ部２２の周方向で湾曲状を成している。
【００３３】
また、第２当接部２５には、フランジ部２２の半径方向内方に向けて突設して第２突設部２６に径方向外側から当接する径方向突部４３が設けてある。この径方向突部４３は突設面が周方向で湾曲状を成している。
【００３４】
第２当接部２５の周方向端には、径方向に傾斜したストッパ部４５が形成してあり、レンズ保持部２０をフランジ部２２に対して相対的に回転させたときに、第２突設部２６の傾斜部２７がストッパ部４５に当接して回転を規制する。
【００３５】
図６に示すように、レンズ支持体７において、フランジ部２２には環状のコイル１５が装着されており、コイル１５はフランジ部２２のコイル固定部１９に接着剤により接着固定されている。
【００３６】
コイル１５は、ヨーク３の外周壁３ａと内周壁３ｂとの間に配置するが、マグネット１３がある角部１４ではマグネット１３と内周壁３ｂとの間に位置し、レンズ支持体７と共にヨーク３内を前後方向に移動するようになっている。
【００３７】
図５に示すように、後側筐体部５は外周形状が平面視四角形であり、ヨーク３の外周に位置する外壁５ａと、ヨーク３の後側に位置する基底部５ｂとを有しており、後側筐体部５の基底部５ｂには後側スプリング１１の外周側部１１ｂが載置される。
【００３８】
平面視四角形の後側筐体部５において、外壁５ａは各角部に立設されており、外壁５ａの内周側面はヨーク３の外周壁３ａに対面している。
【００３９】
前側筐体部（筐体部）６はヨーク３の前側に配置されており、ヨーク３との間に前側スプリング９の外周側部９ｂを挟んで保持すると共に、ヨーク３の外周で後側筐体部５と連結固定してレンズ駆動装置１の筐体を形成している。
【００４０】
この前側筐体部６は、平面視四角形を成し、各角部から脚部６ａが後側に向けて立設されており、脚部６ａの内周側に後側筐体部５の外壁５ａが位置して、脚部６ａの先端が後側筐体部５の段部５ｃに当接している。
【００４１】
前側筐体部６の前面には各角部に接着剤流入孔６ｂが形成されている。この接着剤流入孔６ｂは脚部６ａの内周側に位置し、接着剤流入孔６ｂから流入した接着剤が脚部６ａの内周面とヨーク３の外周壁３ａとの間に流入するようになっている。
【００４２】
前側スプリング９は外周形状が平面視四角形の環状の板ばねであり、内周側部９ａと外周側部９ｂとが設けてあり、内周側部９ａはレンズ支持体７に取り付けてあり、外周側部９ｂはヨーク３と前側筐体部６との間に挟持して固定されている。内周側部９ａと外周側部９ｂとは弾性変形可能な腕部９ｃにより連結してある。腕部９ｃは本実施の形態では、４箇所に設けてあり、外周側部９ｂにおいて各腕部９ｃの端２１は角部から周方向にずれた位置にある。前側スプリング９の各角部には前側筐体部６の脚部６ａを配置する切除部１８が形成してある。この切除部１８は前側筐体部６の接着剤流入孔６ｂの位置に対応して設けてある。
【００４３】
後側スプリング１１は、全体として環状の板ばねであるが、本実施の形態では、左右に分割した一方側部３０と他方側部３２とから構成されている。後側スプリング１１の各外周側部（他端部）１１ｂ、１１ｂは、絶縁体（スペーサ）１７を介して後側筐体部５とヨーク３との間に挟持されており、絶縁体１７は後側スプリング１１とヨーク３との間の電気的絶縁を図っている。各内周側部（一端部）１１ａ、１１ａは、レンズ支持体７のフランジ部２２の後端に接着固定してある。後側スプリング１１の各内周側部１１ａと外周側部１１ｂとは弾性変形可能な腕部１１ｃにより連結してある。
【００４４】
本実施の形態では、後側スプリング１１を構成する一方側部３０には端子３３が形成されており、他方側部３２には端子３５が形成されて各端子３３、３５が電源供給端子に接続されるようになっている。尚、一方側部３０と他方側部３２とは、各々コイル１５にハンダ付け等により電気的に接続されており、後側スプリング１１からコイル１５に通電するようになっている。
【００４５】
次に、本発明の実施の形態に係るレンズ駆動装置１の組立て、作用及び効果について説明する。レンズ駆動装置１の組立ては、後側筐体部５に後側スプリング１１、スペーサ１７、マグネット１３を内部に固定したヨーク３、コイル１５を固定したレンズ支持体７、前側スプリング９及び前側筐体部６を組み付ける。
【００４６】
レンズ支持体７には、フランジ部２０に設けたコイル固定部１９にコイル１５を接着剤で固定する。
【００４７】
一方、レンズ支持体７は、図１に示すように、レンズを内周に固定したレンズ保持部２０の後部をフランジ部２２の内周側に配置し、レンズ保持部２０の第１突設部２４をフランジ部２２の内周に形成した挿通溝２８に通して、第２突設部２６が第２当接部２５に当接したところで、レンズ保持部２０に対してフランジ部２２を矢印Ｖ方向に回し、図２に示すように、第２突設部２６の傾斜部２７が第２当接部２５のストッパ４５に当接するまで回す。
【００４８】
これにより、第１突設部２４は、フランジ部２２の第１当接部２３に当接し、第２突設部２６は第２当接部２５に当接して、第１突設部２４と第２突設部２６とで前後方向（光軸方向両側）からフランジ部２２を挟持する。
【００４９】
更に、第２突設部２６は光軸方向突設部４１により光軸方向前方に向けて押圧されているから、第１突設部２４と第１当接部２３とが強く圧接し、レンズ保持部２０がフランジ部２２に対して、レンズの光軸方向にぶれるのを防止できる。
【００５０】
また、第２突設部２６は径方向突設部４３に当接して保持されるので、フランジ部２２に対するレンズ保持部の径方向のぶれが防止できる。本実施の形態では、第２突設部２６は４箇所で径方向突設部４３に当接している。
【００５１】
本実施の形態によれば、レンズ保持部２０とフランジ部２２との嵌合固定は、レンズ保持部２０の第１突設部２４と第２突設部２６とが光軸方向の両側からフランジ部２２の各当接部２３、２５に当接してフランジ部２２を挟持するから、レンズ保持部２０に対してフランジ部２２が脱落し難い。
【００５２】
レンズ支持体７は、レンズ保持部２０とフランジ部２２とを脱着自在に嵌合固定しているので、レンズ駆動装置１の製造工程において、例えばコイル１５を接着剤でフランジ部２２固定するときにコイル１５とフランジ部２２との接着不良や、フランジ部２２にスプリング１１を固定する接着剤が食み出してスプリング機能を阻害して、不良品となった場合には、レンズ駆動装置１から、レンズ支持体７を取り出して、レンズ保持部２０に対してフランジ部２２を相対的に回転することにより、レンズ保持部２０とフランジ部２２との嵌合を外して分離し、レンズを回収することができる。或いは、レンズ保持部２０に新たなフランジ部２２を付け替えることによりレンズ保持部２０を再利用できる。また、レンズの位置ずれ等のレンズ保持部２０に不良がある場合にも、嵌合固定しているフランジ部２２を回転して外すことにより、レンズ保持部２０のレンズを回収して再利用することができる。
【００５３】
レンズ保持部２０の外周に第１突設部２４と第２突設部２６を形成し、フランジ部２２には、これらの突設部２４、２６と係合する凹部を形成する構成であるから、構造が簡易である。
【００５４】
本発明は、上述した実施の形態に限らず、本発明の要旨を逸脱しない範囲で種々変形可能である。
【００５５】
例えば、レンズ保持部２０に設けた第１係合部（第１突設部）２４と第２係合部（第２突設部）２６とを凹状とし、フランジ部２２に設けた第１当接部（第１被係合部）と第２当接部（第２被係合部）を突設部としても良い。
【図面の簡単な説明】
【００５６】
【図１】本発明の実施の形態に係るレンズ支持体の分解斜視図である。
【図２】レンズ保持部とフランジ部との嵌合固定部を抜き出して示す斜視図である。
【図３】図２のＢ−Ｂ断面図である。
【図４】図２のＣ−Ｃ断面図である。
【図５】本発明の実施の形態に係るレンズ駆動装置の分解斜視図である。
【図６】図７のＡ−Ａ断面図である。
【図７】本実施の形態に係るレンズ駆動装置の概観を示す斜視図である。
【符号の説明】
【００５７】
１      レンズ駆動装置
７      レンズ支持体
１５    コイル
１９    コイル固定部
２０    レンズ保持部
２２    フランジ部
２３    第１当接部（第１被係合部）
２４    第１突設部（第１係合部）
２５    第２当接部（第２被係合部）
２６    第２突設部（第２係合部）
２８    挿通溝
４１    光軸方向突部
４３    径方向突部
【図１】
2008310235.tif 000003
【図２】
2008310235.tif 000004
【図３】
2008310235.tif 000005
【図４】
2008310235.tif 000006
【図５】
2008310235.tif 000007
【図６】
2008310235.tif 000008
【図７】
2008310235.tif 000009